(57)【要約】【課題】  背中の中央部にある脊椎に沿った上下方向の窪みでも、自分でうまく擦って洗うことのできる浴用タオルを提供すること。【解決手段】  通常のタオルと同様な材質で、通常のタオルと同じ程度の大きさをもつタオル本体の左右方向中央部に、該タオル本体の長さ方向と交差する方向で、タオル本体の幅方向の両側に突出する小タオル片を一体に設けた。使用時には、小タオル片の突出部を互いに結び合わせることにより、タオル本体の中央部に拳状の結び目を形成する。この結び目は、タオル本体よりも膨らんでいるので、この部分を背中の窪みにあてがって擦ればよい。【選択図】      図１
2006020802.tif 000002
【特許請求の範囲】
【請求項１】
タオル本体の長手方向中間部に該タオル本体と交差する紐状乃至帯状の小タオル片が一体に設けられていることを特徴とする浴用タオル。
【発明の詳細な説明】
【技術分野】
【０００１】
本発明は、浴用タオルに関するものである。
【背景技術】
【０００２】
入浴時に石鹸をつけて肌を洗うための浴用タオルとして、ナイロン等で作られた目の粗い生地からなるタオルが市販されている。この種の浴用タオルとしては、少なめのソープで泡立ちが良く、汚れを擦り落とす機能があって、しかも水切りの良いものが愛用されている。
【発明の開示】
【発明が解決しようとする課題】
【０００３】
従来の浴用タオルは、肌をこするに適した大きさ、例えば幅が２８ｃｍ、長さが１ｍ程度のもので、自分自身で背中を洗うときは、背中に回したタオルの両端を左右両手でそれぞれ掴み、背中に接触させたタオルを左右に往復移動させて、背中を擦っている。
【０００４】
タオル自体は、構造的に単純なものであるから、その形状等に関する発明は少ないが、例えば、特許文献１、特許文献２に示すようなものが提案されている。
【０００５】
【特許文献１】特開２００２−２６３０２９号公報
【特許文献２】特開２００４−６５５８１号公報
【０００６】
特許文献１に記載のタオルは、タオル地の中央部付近を折り曲げて縫い上げた襞部を複数個所に設けたヒダ付きの浴用タオルであり、背中などを擦るために使用できるものである。また、特許文献２に記載のタオルは、布帛の一部に袋部を設け、該袋部に充填材を移動可能な状態で封入したもので、マッサージ効果が得られるとされている。
【０００７】
ところで、人間の背中には、脊椎に沿って上下方向の窪みがあるが、自分自身で背中を洗おうとするとき、従来の浴用タオルでは、この窪み部分を十分に擦ることはできなかった。そこで本発明は、自分自身で背中を擦る場合に、背中の窪み部分をうまく擦ることのできるタオルを提供することを課題としている。
【課題を解決するための手段】
【０００８】
上記課題を解決するため、本発明は次のような構成とした。すなわち、本発明に係る浴用タオルは、タオル本体の左右中間部に、該タオル本体と交差する紐状乃至帯状の小タオル片が一体に設けられていることを特徴としている。
【発明の効果】
【０００９】
本発明に係る浴用タオルは、その左右中間部に該タオル本体と交差する紐状乃至帯状の小タオル片が一体に設けられているので、背中を擦るときは、この小タオル片を結んで、タオル本体の中間部に結び目を形成することができる。このように結び目を形成しておくと、該結び目が拳状に膨らむので、この部分が背中の窪みにはまり込み、該窪みをうまく擦ることができるのである。使用後のタオルを洗ったり干したりするときは、上記結び目を解いて、広げた状態とすればよい。
【発明を実施するための最良の形態】
【００１０】
以下、図面に表された本発明の実施形態について説明する。図１は、本発明の実施形態を例示するもので、この浴用タオル１は、タオル本体２と該タオル本体２と一体に設けられた小タオル片３を備えてなる。
【００１１】
タオル本体２及び小タオル片３は、いずれも肌を洗うために用いられている通常のタオルと同様な材質、例えばナイロン、綿等で作られている。目の粗さも通常の同種のタオルと同様なものでよく、肌にマッサージ効果を与えるためには、若干目の粗いものが好ましい。
【００１２】
小タオル片３は、タオル本体２のほぼ中央部に縫い付けられている。小タオル片３は、幅がタオル本体２よりも小さく、該タオル本体２の中央部で幅方向にほぼ同じ長さだけ十文字状に突出するように設けられている。小タオル片３の幅は、適当な大きさの結び目が形成されるようなものであるのが望ましく、通常は、７〜１２ｃｍ程度とするのが好ましい。この幅が広すぎても狭ますぎても、適当な大きさの結び目を作るのが難しくなる。
【００１３】
また、小タオル片３の長さは、２回以上結べるような長さとするのが好ましく、通常は、６０〜１００ｃｍ程度とするのが好ましく、７０〜８０ｃｍとするのがより好ましい。この長さが長すぎると、結び目を作った後の残りの部分が垂れ下がるので邪魔になる。また短すぎると、好ましい大きさの結び目を作れなくなる。なお、小タオル片３の縫い付け位置は、背中の左右中央部にある窪みを擦るためには、タオル本体２の左右中央部に設けておくのが好ましいが、実用上問題がなければ、厳密に左右中央部ではなく、若干左右にずれていてもよい。さらに、この小タオル片３は、タオル本体から突出した部分を結び合わせて拳状の結び目を作るためのものであるから、タオル本体２からの突出量は２０〜２５ｃｍ程度とするのが好ましい。
【００１４】
この浴用タオル１の使用に際しては、タオル本体２から突出する小タオル片３を互いに結び合わせて使用する。背中を擦るためには、結び目の大きさがある程度大きくなければならないので、２回以上結んでおくのが好ましい。また、１回だけ結んだだけでは、使用時に結び目が次第に締まってきて、小さくなり、背中の窪みを十分に擦ることができなくなる。この点、２回以上結んでおけば、結び目が余り締まらなく、使用に適した大きさを維持できる。材質にもよるが、通常は２回結んでおけば十分であろう。
【００１５】
左右中央部に適当な大きさの結び目を作ったタオルを使用すれば、タオルが平面で肌に接触せずに、体積の大きくて出っ張った結び目が肌に接触すので、肌を擦る効果は向上する。また、マッサージ効果も得られると考えられる。特に、結び目は部分的に膨張しているので、背中の窪みを擦る効果は著しく向上するのである。
【００１６】
この浴用タオル１は、従来のタオルと同様なタオル本体の中央部に該タオル本体から突出する適当な長さの小タオル片を一体に設けたものであるから、構造的に簡単で、製作も容易である。例えば、通常のタオルに同材質の細長いタオル片を縫い付けるだけで製作することができる。
【００１７】
また、肌を擦るときは結び目を作るだけでよく、タオル自体を洗ったり干したりするときは、結び目を開いた状態とすればよいので、選択や乾燥も容易で、清潔さを保つことができる。
【産業上の利用可能性】
【００１８】
以上の説明から明らかなように、本発明に係る浴用タオルは、構造的に簡単でありながら、背中の窪みのような身体の凹部でも、うまく擦って洗うことができるもので、従来のタオルと殆ど同じような製作方法で工業生産的に簡単に製作することができる。
【図面の簡単な説明】
【００１９】
【図１】本発明にかかる浴用タオルを開いた状態の外観図である。
【図２】結び目を作った状態の外観図である。
【図３】使用法の説明図である。
【符号の説明】
【００２０】
１      浴用タオル
２      タオル本体
３      小タオル片
【図１】
2006020802.tif 000003
【図２】
2006020802.tif 000004
【図３】
2006020802.tif 000005